(57)【要約】【課題】地名情報を入力するためには、地名情報を入手する手段をクライアント機器側で具備する必要があった。【解決手段】ディジタルカメラ１００は、無線基地局１０１に接続され、電子情報格納サーバ１０４は、通信ネットワーク１１に接続される。電子情報格納サーバ１０４は、ディジタルカメラ１００から送信される電子情報を、無線基地局１０１および通信ネットワーク１１を介して受信する。電子情報格納サーバ１０４は、電子情報のインデックス情報として、無線基地局１０１のシステム識別情報（ＳＳＩＤ）、基地局個体の識別情報（ＭＡＣアドレス）を記憶する。【選択図】      図１
2004326416.tif 000002
【特許請求の範囲】
【請求項１】
無線基地局に接続される無線端末と、通信ネットワークに接続される電子情報格納サーバを有し、前記電子情報格納サーバは、前記無線端末から送信される電子情報を、前記無線基地局および前記通信ネットワークを介して受信する電子情報格納システムであって、
前記電子情報格納サーバは、電子情報のインデックス情報として、前記無線基地局のシステム識別情報、基地局個体の識別情報を記憶することを特徴とする電子情報格納システム。
【請求項２】
前記電子情報格納サーバは、前記通信ネットワーク上に存在する設置場所情報サーバに対して、前記基地局個体の識別情報を検索条件として、問合せを行い、当該設置場所情報サーバより、対象無線基地局の設置場所の地名を入手することを特徴とする請求項１の電子情報格納システム。
【請求項３】
電子情報を生成する機能を有する無線端末において、
前記電子情報を生成するためのユーザ操作を検知した際に、無線通信手段により無線基地局のシステム識別情報、基地局個体の識別情報を収集することを特徴とする無線端末。
【請求項４】
内部に記憶しているディジタルコンテンツを検索するための条件設定メニューを構築する手段を有する電子情報格納サーバと、当該電子情報格納サーバ上にアクセスし、前記ディジタルコンテンツの検索条件メニューを表示する手段を有するクライアント端末で構成されることを特徴とするサービス提供システム。
【発明の詳細な説明】
【０００１】
【発明の属する技術分野】
本発明は、静止画、動画、音声、音楽等の電子コンテンツデータを、無線通信回線を介して電子情報格納サーバにアップロードし、ユーザ毎に前記コンテンツ情報を格納すると共に、前記格納電子コンテンツ情報より、所望のコンテンツの検索を容易に実現することが可能な電子情報格納システム、無線端末、及び、サービス提供システムに関するものである。
【０００２】
【従来の技術】
近年、電子情報格納サーバ内にネットワークを介して、静止画、動画、音声、音楽等の電子コンテンツデータを格納するサービスが提供され、前記コンテンツデータを利用しユーザが所望のレイアウトにグルーピングして、Ｗｅｂブラウザ等で閲覧可能な電子アルバムを提供する、電子情報格納サーバと連係したネットワークサービスが提供されつつある。
【０００３】
前記電子アルバムの作成にあたっては、ユーザが電子情報格納サーバ内で、所望のコンテンツの格納場所を特定しながら、煩雑なグルーピング作業を行うのが一般的であった。
【０００４】
これに対して、前記電子コンテンツ情報の前記電子情報格納サーバへのアップロード時点で、画像添付情報（地名、時間等）に基づいて前記電子アルバムを自動生成する手法（特開２０００−２２２３８１号公報）が提案されている。
【０００５】
また、コンテンツの生成場所情報の入手手段としては、コンテンツの生成を司る機器で検知したＧＰＳ情報（特開２０００−２２２３８１号公報）や、受信中の無線基地局識別符号から無線通信路を介して問合せにより入手した地名情報を入手する手法（特開２０００−９２４１８号公報）が提案されていた。
【０００６】
【発明が解決しようとする課題】
しかしながら上記の従来例では以下のような問題点があった。
【０００７】
情報アップロードの都度に、画像添付情報を用いて電子アルバムを生成する手法では、ユーザが欲しない電子アルバムも自動生成されるため、前記前記電子情報格納サーバの容量をユーザが意図しない電子アルバムの生成によって圧迫してしまう。
【０００８】
また、コンテンツの生成場所情報の入手をコンテンツの生成を司るクライアント機器の主導で入手を行う手法では、地名情報を入手する手段をクライアント機器側で具備する必要があり、クライアント機器のコストアップ要因や、限りある無線通信媒体上の通信トラヒックの増加要因になっていた。
【０００９】
【課題を解決するための手段】
本発明によれば、無線基地局に接続される無線端末と、通信ネットワークに接続される電子情報格納サーバを有し、前記電子情報格納サーバは、前記無線端末から送信される電子情報を、前記無線基地局および前記通信ネットワークを介して受信する電子情報格納システムであって、前記電子情報格納サーバは、電子情報のインデックス情報として、前記無線基地局のシステム識別情報、基地局個体の識別情報を記憶することを特徴とする。
【００１０】
また、電子情報を生成する機能を有する無線端末において、前記電子情報を生成するためのユーザ操作を検知した際に、無線通信手段により無線基地局のシステム識別情報、基地局個体の識別情報を収集することを特徴とする。
【００１１】
また、内部に記憶しているディジタルコンテンツを検索するための条件設定メニューを構築する手段を有する電子情報格納サーバと、当該電子情報格納サーバ上にアクセスし、前記ディジタルコンテンツの検索条件メニューを表示する手段を有するクライアント端末で構成されることを特徴とする。
【００１２】
【発明の実施の形態】
以下、本発明の実施の形態について、添付の書面を参照し説明する。
【００１３】
（第一の実施の形態）
本発明の電子情報出力無線端末と電子情報格納サーバとクライアント端末及び提供システムの第一の実施の形態として、電子情報出力無線端末として無線通信対応ディジタルカメラ、無線通信媒体にＩＥＥＥ８０２．１１系の無線ＩＰネットワーク採用した無線スポット接続サービス、前記無線スポット接続サービスのバックボードネットワークに、ディジタルコンテンツ情報を格納する電子情報格納サーバと、ユーザのコンテンツ検索操作を司るクライアント端末が接続され、蓄積ディジタルコンテンツ情報の場所情報による検索サービスを提供するシステム構築例を示す。
【００１４】
図１が、本実施例のシステム構成概念図である。
【００１５】
１０が無線スポット接続サービスのサービスエリア、１１が前記接続サービスにおいて接続対象とする広域バックボードネットワーク、１００が無線通信対応ディジタルカメラ、１０１が前記サービスエリアを統括するアクセスポイント、１０２が無線接続クライアントユーザの認証を行うスポットサービス提供者認証サーバ、１０３が無線接続されたクライアント機器の認証を行う機器ベンダ認証サーバ、１０４がディジタルコンテンツ情報を格納する電子情報格納サーバ、１０５が前記無線スポット接続サービス提供者の管理するアクセスポイント設置場所情報サーバである。
【００１６】
図２が前記電子情報格納サーバ１０４の一機能構成ブロック図である。
【００１７】
２０１がユーザコンテンツである画像を格納するユーザ画像蓄積バッファ、２０２が前記ユーザ画像をグルーピングした電子アルバム情報を格納するユーザ電子アルバムデータ蓄積バッファ、２０３が前記ユーザ画像蓄積バッファの画像ファイル毎のプロファイル（ファイルの格納パス、画像格納処理の実行場所・日時、画像撮影の実行場所・日時  等）を格納するユーザ画像プロファイルデータベース、２０４が前記電子情報格納サーバの制御を司る制御部、２０５が前記ネットワークとの通信を司る通信部、２０６が前記ユーザ画像プロファイルデータベース上の場所に関する識別情報から、地名情報を検索するためのスポットサービス提供者毎の問合せ先を記憶している位置情報問合せ先記憶バッファ、２０７が格納画像を検索する条件を設定するためのクライアント端末用の設定画面を作成する画像検索条件設定画面作成部、２０８がディジタルコンテンツをグルーピングし電子アルバムデータを作成する電子アルバム作成部、２０９が作成した前記電子アルバムを一時的に格納する電子アルバム情報一時記憶バッファ、２１０が電子画像情報を不揮発媒体（ペーパー、ＣＤＲＯＭ等）に出力する電子情報恒久出力部である。
【００１８】
ユーザ画像蓄積バッファ２０１は、格納対象電子情報を蓄積する手段である。バッファ２０１、２０２、２０３は、サービス享受ユーザ毎に独立して設けられている。
【００１９】
図３がディジタルカメラ１００の一機能ブロック図である。
【００２０】
図４が前記ユーザ画像プロファイルデータベース２０３内の場所・時刻情報記憶テーブルの構成例、図５が前記位置情報問合せ先記憶バッファ２０６内の位置情報問合せ先記憶バッファ内記憶テーブルの構成例である。ユーザ画像プロファイルデータベース２０３内の場所・時刻情報記憶テーブルは、前記蓄積情報のインデックス名（ファイル名）と、前記情報への付加情報の関連情報（記録場所、記録時刻、撮影場所、撮影時刻）を情報テーブルとして記憶する手段である。ここで、記録場所、記憶時刻は、蓄積情報を、電子情報格納サーバ１０４のユーザ画像蓄積バッファ２０１に記録した場所（すなわち、無線基地局１０１の場所）、時刻である。前記付加情報である付加情報は、前記無線基地局１０１のシステム識別情報（ＳＳＩＤ）、基地局個体の識別情報（ＭＡＣアドレス）及び、当該情報から検索された地名情報を含む。
【００２１】
図１の電子情報格納システムは、アクセスポイント（無線基地局）１０１に接続されるディジタルカメラ（無線端末）１００と、通信ネットワーク１１に接続される電子情報格納サーバ１０４を有する。前記電子情報格納サーバ１０４は、前記無線端末１００から送信される電子情報を、前記無線基地局１０１および前記通信ネットワーク１１を介して受信する。さらに、前記電子情報格納サーバ１０４は、電子情報のインデックス情報として、前記無線基地局１０１のシステム識別情報（ＳＳＩＤ）、基地局個体の識別情報（ＭＡＣアドレス）を記憶する。
【００２２】
ディジタルカメラ１００は、無線端末であって、電子情報を生成する。ディジタルカメラ１００は、前記電子情報を生成するためのユーザ操作を検知した際に、無線メディアアクセス処理部（無線通信手段）３０３により無線基地局１０１のシステム識別情報、基地局個体の識別情報を収集する。
【００２３】
電子情報格納サーバ１０４は、ディジタルカメラ１００が、電子情報を生成するためのユーザ操作を検知した際に収集した前記無線基地局のシステム識別情報、基地局個体の識別情報を記憶する。
【００２４】
前記電子情報格納サーバ１０４は、前記通信ネットワーク１１上に存在するＡＰ設置場所情報サーバ１０５に対して、前記基地局個体の識別情報を検索条件として、問合せを行い、当該ＡＰ設置場所情報サーバ１０５より、対象無線基地局の設置場所の地名を入手する。
【００２５】
本実施形態では、前記無線通信対応ディジタルカメラ１００における画像検索用の位置情報の収集手法と、電子情報格納サーバ１０４が、前記位置情報を付加された記憶対象電子画像を、前記ディジタルカメラから無線回線を介して受付け、当該位置情報を用いて地名情報を入手し、画像プロファイルデータベース２０３上の記憶テーブルに地名情報を併せて記憶する処理過程に関して、シーケンスチャート（図６）、フローチャート（図７、８）を用いて説明する。
【００２６】
図８が前記無線通信対応ディジタルカメラ１００において、画像撮影操作を行った際に起動される処理のフローチャートである。
【００２７】
シャッターの押下処理後、無線通信ユニット（本実施の形態の場合は無線ＬＡＮユニット３０３、３０４）を起動（８０１）し、通信可能な無線アクセスポイントの情報を検索（８０２）する。
【００２８】
通信可能な無線アクセスポイント情報（ＳＳＩＤ、ＭＡＣアドレス等）が入手出来た際には、撮影電子画像情報に関連付けて併せてメモリカード３１３に記憶（８０３）し、入手不可能な場合は単に電子画像情報のみをメモリカード３１３に記憶（フローチャート上に図示せず）した後、無線通信ユニット（本実施の形態の場合は無線ＬＡＮユニット３０３、３０４）を停止（８０４）する。
【００２９】
図６は、前記無線通信対応ディジタルカメラ２００−電子情報格納サーバ１０４間で通信路を形成しディジタルコンテンツの１例である電子写真情報をアップロードし、前記電子情報格納サーバに蓄積記憶を要求するシーケンスチャートである。
【００３０】
図７は、前記電子写真情報の蓄積記憶要求を受けて、前記情報の記憶完了後に、位置情報である、ＳＳＩＤとＭＡＣアドレスを基準に地名情報を入手し、前記ユーザ画像プロファイルデータベース２０３内の場所・時刻情報記憶テーブルに当該地名情報を併せて記憶する処理のフローチャートである。
【００３１】
無線通信対応ディジタルカメラ（１００）が、無線スポット接続サービスのサービスエリア（１０）内でディジタルコンテンツの１例である電子写真情報をアップロードする際、先ず無線アクセスポイント（１０１）との間で、無線区間のコネクション確立、スポットサービス提供者の認証サーバ（１０２）との間での認証成功の段階を経て、無線区間リンクを確立（６００）する。
【００３２】
前記無線区間のリンク確立後、メモリカード３１３に記憶された電子写真情報データを、画像情報格納サービス電子情報格納サーバ（１０４）に対して、アップロードし蓄積記憶を要求（６０１）するが、ディジタルカメラ（１００）は、この際に、当該電子写真情報蓄積サービス享受ユーザを識別するためのユーザ識別情報に加えて、現在の無線リンクに用いている無線アクセスポイント情報（ＳＳＩＤ、ＭＡＣアドレス）、及び、アップロード対象電子写真に撮影時入手の無線アクセスポイント情報が記憶されている場合は、これも併せて、画像情報格納サービス電子情報格納サーバ（１０４）に通知する。
【００３３】
前記電子写真情報データの蓄積記憶要求（６０１）を正常に受付けた、前記画像情報格納サービス電子情報格納サーバ（１０４）は、当該電子写真情報の蓄積記憶を行う。当該電子写真情報は、ユーザ画像プロファイルデータベース２０３内の場所・時刻情報記憶テーブル（図４）に、蓄積記憶される。ここでは、ファイル名、格納パス、記録時刻、撮影時刻、および、記憶場所の無線アクセスポイント情報（ＳＳＩＤとＭＡＣアドレス等）、撮影場所の無線アクセスポイント情報（ＳＳＩＤとＭＡＣアドレス等）が、蓄積記憶される。当該電子写真情報の蓄積記憶の完了後、電子写真情報記憶確認（６０２）をディジタルカメラ（１００）に返送し、前記画像情報格納サービス電子情報格納サーバ（１０４）への蓄積記憶の成否を通知する。
【００３４】
前記電子写真情報記憶確認（６０２）を受け取った無線通信対応ディジタルカメラ（１００）は、無線区間のリンクを開放（６０３）する。
【００３５】
前記電子写真情報の蓄積記憶完了後、前記画像情報格納サービス電子情報格納サーバ（１０４）は、前記現在の無線リンクに用いている無線アクセスポイント情報（ＳＳＩＤ、ＭＡＣアドレス）及び、アップロード対象電子写真に撮影時入手の無線アクセスポイント情報の有無を確認（７０１、７０２）し、存在する場合は、前記無線アクセスポイント情報のうち、ＳＳＩＤを用いて位置情報問合せ先記憶バッファ（２０６）内の記憶テーブル（図５）を参照し、当該ＳＳＩＤに対応する問合せ先の有無を確認（７０３）する。
【００３６】
前記問合せ先が存在する場合は、前記位置情報問合せ先記憶バッファ（２０６）内の記憶テーブルの問合せ方法に従って、例えば、スポットサービス提供者アクセスポイント設置場所情報サーバ１０５に、ＭＡＣアドレスを用いて問合せを行い（７０４、６０４、６０５）、該当ＭＡＣアドレスに対応する地名情報の有無を確認（７０５）し、存在したら、前記画像プロファイルデータベース（２０３）内の場所・時刻情報記憶テーブル（図４）に当該地名情報を記憶（７０６）する。
【００３７】
また、対象無線アクセスポイント情報（ＳＳＩＤ、ＭＡＣアドレス）に対するユーザ定義のランドマーク（地名）情報の有無の確認（７０７）を行い、電子写真情報記憶要求（６０１）中にユーザ定義のランドマーク情報が存在する場合、前記画像プロファイルデータベース（２０３）内の場所・時刻情報記憶テーブル（図４）に当該地名情報を併せて記憶（７０８）する。
【００３８】
上記の処理により、前記格納対象電子画像情報毎のインデックス情報として、電子画像の撮影場所、及び、電子画像の記憶操作場所を示す位置情報識別子（システム識別情報、基地局個体の識別情報）に併せて地名（ユーザ設定ランドマークを含む）を画像プロファイルデータベースに記憶することが可能となり、前記画像情報格納サービス電子情報格納サーバのユーザ画像蓄積バッファ内に記憶された画像の検索を行う際に、地名情報、ユーザランドマーク情報を用いることが可能となる。
【００３９】
（第二の実施の形態）
第一の実施の形態のように、前記格納対象電子画像情報毎のインデックス情報として、電子画像の撮影場所、及び、電子画像の記憶操作場所を示す位置情報識別子（システム識別情報、基地局個体の識別情報）に併せて地名（ユーザ設定ランドマークを含む）を画像プロファイルデータベースに記憶した場合に、前記画像情報格納サービス電子情報格納サーバのユーザ画像蓄積バッファ内に記憶された画像の検索を行う際のユーザインタフェース例を、図９、１１に、前記検索条件に従って検索した電子画像をグルーピングし、表示画面として構成する電子アルバムの表示例を、図１０、１２に、位置情報による画像検索処理フローチャートを図１３に示す。
【００４０】
図１示のサービス提供システムは、内部に記憶しているディジタルコンテンツを検索するための条件設定メニューを構築する手段を有する電子情報格納サーバ１０４と、当該電子情報格納サーバ１０４上にアクセスし、前記ディジタルコンテンツの検索条件メニューを表示する手段を有するクライアント端末１００で構成される。前記検索条件設定用のクライアント端末１００の一例は、電子情報出力無線端末である。その検索のための条件は、場所（記録場所、あるいは、撮影場所）を特定する情報である。
【００４１】
本形態において、電子アルバム生成部２０８は、クライアント端末１００からの操作（地名情報等の検索条件の入力）に従って、ユーザ画像蓄積バッファ２０１内に記憶されているディジタルコンテンツ情報をグループ化し、電子アルバムを構成するためのメークアップ言語を生成する手段であり、クライアント端末１００で入力された検索条件に従って、検索対象コンテンツをグルーピングして表示するための一時的電子アルバムデータを自動生成する手段である。電子アルバム情報一時記憶バッファ２０９は、前記電子アルバムを構成するためのメークアップ言語ファイルを一時蓄積する手段である。
【００４２】
電子情報格納サーバ（１０４）内の画像検索条件画面作成部（２０７）において、図９、１１、１６に示されるような、ユーザ入力インタフェースが貧弱なクライアント端末１００からでも容易に入力可能な検索条件入力インタフェース用の画面を、ＨＴＭＬ等のテキスト記述言語を用いて生成する。そして、前記検索条件入力インタフェース用画面の操作により、ユーザが、表示用クライアント端末（１０６）から入力した前記位置情報に関わる検索条件を受付けた場合（図１３）、指定条件が無線アクセスポイント情報（ＳＳＩＤ＋ＭＡＣアドレス）自身か、地名情報（ユーザ設定ランドマーク情報を含む）であるかの判断（１３０１）を行い、地名情報が入力された際には、前記画像プロファイルデータベース（２０３）内の場所・時刻情報記憶テーブル（図４）を参照し、指定された地名情報に対応する無線アクセスポイント情報（ＳＳＩＤ＋ＭＡＣアドレス）を検索・入手（１３０２）する。
【００４３】
ユーザによって指定された無線アクセスポイント情報（ＳＳＩＤ＋ＭＡＣアドレス）を検索条件に用いて、前記画像プロファイルデータベース（２０３）内の場所・時刻情報記憶テーブル（図４）を検索する（１３０３）。指定条件の電子画像があれば（１３０４）、検索対象条件に該当する画像情報のファイル名、格納パス（ディレクトリを含む）を獲得（１３０５）した後、電子アルバム生成部２０８により、前記情報に従って検索対象電子画像表示用の電子アルバムファイルをＨＴＭＬ等のテキストメークアップ言語を用いて自動生成（１３０６）し、前記電子情報格納サーバ（１０４）内の電子アルバム情報一時記憶バッファ（２０９）に一時記憶し、前記クライアント端末１００から当該電子アルバムの閲覧を可能とする。
【００４４】
電子画像のアップロード（画像蓄積要求）の実行場所を条件として入力するメニュー例と、前記条件での検索結果である電子アルバム情報の表示例を、図９、図１０に、前記アップロード実行場所に加えて、撮影場所情報を条件として入力するメニュー例と、前記条件での検索結果である電子アルバム情報の表示例を、図１１、図１２に示す。
【００４５】
図１０、図１２に示す電子アルバムの表示例においては、対象画像の選択手段と選択した画像情報の加工操作（ユーザ管理の電子アルバムへの追加等）や画像情報の恒久出力（プリント等）を要求するための操作ボタンをＧＵＩ上に配置し、検索の結果リストアップされた画像情報のユーザ操作を容易にしている。
【００４６】
また、電子情報格納サーバ１０４の制御部２０４は、前記検索対象コンテンツ出力用電子アルバム表示画面上から、所望のコンテンツを選択し、電子アルバム生成部２０８は、ユーザの操作に従って、前記サービス享受ユーザ毎に蓄積される電子アルバム情報を、当該コンテンツ情報を用いて編集（新規作成を含む）を行う。
【００４７】
さらに、電子情報格納サーバ１０４の制御部２０４は、前記検索対象コンテンツ（ディジタルコンテンツ）出力用電子アルバム表示画面（表示部３０７）上から、所望のコンテンツを選択し、電子情報恒久出力部２１０は、ユーザの操作に従って、前記コンテンツ情報の恒久的な出力（プリントアウト、あるいは、不揮発性の記憶媒体（ＣＤＲＯＭ等のメディア）への出力）を行う。
【００４８】
（第三の実施の形態）
第一の実施の形態の中で記述したランドマーク（ユーザが指定する地名）情報の登録を行う形態を、示す。
【００４９】
第二の実施の形態のように検索した結果である電子アルバム情報（図１０、１２）を閲覧しているユーザが、当該検索に用いた位置情報にランドマークを位置情報の指標として追加するために、ランドマーク登録操作を行うための操作ボタンを同様にＧＵＩ上に配置する。前記操作ボタンが操作されると、対象無線アクセスポイント情報（ＳＳＩＤ、ＭＡＣアドレス）とランドマークの関連付け登録メニュー（図１４）が起動される（図１５）。
【００５０】
前記ユーザは、ランドマークとして関連付ける対象無線アクセスポイント情報（アップロード場所のものか、撮影場所のものか？）を選択し、関連付けるランドマーク情報の選択した後、ランドマーク登録操作を行う。
【００５１】
ランドマーク登録操作に起因するランドマーク登録要求を受付けた前記電子情報格納サーバ（１０４）は、指定されたランドマークに前記対象無線アクセスポイント情報が登録済みであるかの判定（１５０１）を行い、登録済みの場合はさらに今回の操作が同一ランドマークへの前記無線アクセスポイント情報の追加登録であるか（１５０２）、あるいは、指定ランドマークの登録変更であるか（１５０３）の判定を行う。
【００５２】
追加登録である場合には、前記対象無線アクセスポイント情報（ＳＳＩＤ、ＭＡＣアドレス）と関連付けて前記画像プロファイルデータベース（２０３）内の場所・時刻情報記憶テーブル（図４）の地名情報に、当該ランドマーク情報を追加登録（１５０５）する。また、追加登録でなく、登録変更の場合は、前記対象無線アクセスポイント情報（ＳＳＩＤ、ＭＡＣアドレス）と関連付けて前記画像プロファイルデータベース（２０３）内の場所・時刻情報記憶テーブル（図４）の地名情報における、既存ランドマーク情報から当該ランドマーク情報に登録変更（１５０６）する。
【００５３】
図１６、１７にランドマークを検索場所情報に利用する、検索条件入力画面と検索結果の電子アルバム情報の表示例を示す。
【００５４】
図１７に示す電子アルバムの表示例においては、「ランドマーク名」編集ボタンをＧＵＩ上に配置し、ランドマークボタンを操作クライアント端末（１０６）から操作することで、ランドマーク名編集メニュー（図１８）が起動され、各ランドマークにユーザが所望の名前を追加することを可能としている例を示している。
【００５５】
また、電子情報格納サーバ１０４の制御部２０４は、前記検索対象コンテンツ出力用電子アルバム表示画面（表示部３０７）上から、当該検索条件に対応したユーザコメント（ランドマーク情報）を入手し、ユーザ画像プロファイルデータベース２０３は、前記ユーザコメントと当該検索条件を関連付けてインデックス情報に併せて記憶する。そして、制御部２０４は、前記ユーザコメントを検索条件に用いて、コンテンツの検索する。
【００５６】
上記の処理により、ユーザが検索の際に、前記スポットサービス提供者から入手する地名情報に加えて、ユーザの思惟で設定したランドマーク情報を検索用の地名に利用することが可能となる。
【００５７】
また、プライベート無線ＬＡＮアクセスポイントに関する無線アクセスポイント情報（ＳＳＩＤ、ＭＡＣアドレス）からは、地名情報の検索は困難であるため、ユーザが積極的に当該情報にランドマークを追加することで、プライベート無線アクセスポイント情報に対しても地名（ランドマーク）情報での検索が可能となる。
【００５８】
（他の実施の形態）
前記実施例においては、無線クライアント端末の例として、無線通信対応ディジタルカメラ、無線通信媒体にＩＥＥＥ８０２．１１系の無線ＩＰネットワーク採用した無線スポット接続サービスを利用する例を示したが、無線通信対応カムコーダ、オーディオレコーダ等ディジタルコンテンツを記録することが可能な機器、無線通信媒体としては、固定無線基地局が存在するディジタル無線媒体を用いた無線ＩＰネットワークシステムを用いても、同様の効果を得ることが可能である。すなわち、前記格納対象電子情報は、静止画像に限らず、動画像、音楽等のディジタルコンテンツ情報を含む。
【００５９】
【発明の効果】
以上説明したように、本発明によれば、無線基地局に接続される無線端末と、通信ネットワークに接続される電子情報格納サーバを有し、前記電子情報格納サーバは、前記無線端末から送信される電子情報を、前記無線基地局および前記通信ネットワークを介して受信する電子情報格納システムであって、前記電子情報格納サーバは、電子情報のインデックス情報として、前記無線基地局のシステム識別情報、基地局個体の識別情報を記憶することにより、無線基地局のシステム識別情報、基地局個体の識別情報をインデックス情報として用いて、インデックス情報の入力を簡素化することができる。
【００６０】
さらに、前記電子情報格納サーバは、前記通信ネットワーク上に存在する設置場所情報サーバに対して、前記基地局個体の識別情報を検索条件として、問合せを行い、当該設置場所情報サーバより、対象無線基地局の設置場所の地名を入手することにより、インデックス情報として地名を用いることができる。
【００６１】
また、電子情報を生成する機能を有する無線端末において、前記電子情報を生成するためのユーザ操作を検知した際に、無線通信手段により無線基地局のシステム識別情報、基地局個体の識別情報を収集することにより、電子情報が生成されたときの無線基地局のシステム情報、機器識別情報を得ることができる。
【００６２】
また、内部に記憶しているディジタルコンテンツを検索するための条件設定メニューを構築する手段を有する電子情報格納サーバと、当該電子情報格納サーバ上にアクセスし、前記ディジタルコンテンツの検索条件メニューを表示する手段を有するクライアント端末で構成することにより、ユーザ入力インタフェースが貧弱なクライアント端末における条件設定の操作性を改善することができる。
【図面の簡単な説明】
【図１】実施の形態における無線通信対応ディジタルカメラをクライアント端末とした無線スポット接続サービスにおける電子画像蓄積サービスシステム概要図である。
【図２】実施の形態における電子情報格納サーバの機能ブロック図である。
【図３】実施の形態における無線通信対応ディジタルカメラの機能ブロック図である。
【図４】実施の形態における電子情報格納サーバ内画像プロファイルデータベース内の場所・時刻情報関連記憶テーブル構成例である。
【図５】実施の形態における電子情報格納サーバ内位置情報問合せ先記憶バッファ内の問合せ先・方法関連情報の記憶テーブル構成例である。
【図６】第一の実施の形態における電子画像情報アップロード時のシーケンスチャートである。
【図７】第一の実施の形態における電子情報格納サーバの電子画像情報記憶完了時の処理概念フローチャートである。
【図８】第一の実施の形態における無線通信対応ディジタルカメラ撮像操作時の処理概念フローチャートである。
【図９】第二の実施の形態における情報記録場所をインデックスとする検索指定メニュー画面例である。
【図１０】第二の実施の形態における情報記録場所インデックスで検索した電子画像用に自動生成した電子アルバム情報の表示画面例である。
【図１１】第二の実施の形態における情報記録場所及び撮影場所をインデックスとする検索指定メニュー画面例である。
【図１２】第二の実施の形態における情報記録場所及び撮影場所インデックスで検索した電子画像用に自動生成した電子アルバム情報の表示画面例である。
【図１３】第二の実施の形態における電子情報格納サーバの電子画像検索処理受付時の処理概念フローチャートである。
【図１４】第三の実施の形態におけるユーザランドマークと位置識別情報（ＳＳＩＤ＋ＭＡＣアドレス）の関連づけ登録メニュー例である。
【図１５】第三の実施の形態における電子情報格納サーバのユーザランドマーク登録操作受付時の処理概念フローチャートである。
【図１６】第三の実施の形態における情報記録場所のインデックスにユーザランドマークを選択した検索指定メニュー画面例である。
【図１７】第三の実施の形態における情報記録場所インデックスにユーザランドマークを電子画像用に自動生成した電子アルバム情報の表示画面例である。
【図１８】第三の実施の形態におけるユーザランドマーク用の地名情報を設定するための設定表示画面例である。
【符号の説明】
１０  スポットサービスエリア
１１  接続対象ＩＰ広域ネットワーク
１００  無線通信ディジタルカメラ
１０１  無線アクセスポイント
１０２  スポットサービス提供者認証サーバ
１０３  機器ベンダ認証サーバ
１０４  画像情報格納サービス電子情報格納サーバ
１０５  スポットサービス提供者アクセスポイント設置場所情報サーバ
【図１】
2004326416.tif 000003
【図２】
2004326416.tif 000004
【図３】
2004326416.tif 000005
【図４】
2004326416.tif 000006
【図５】
2004326416.tif 000007
【図６】
2004326416.tif 000008
【図７】
2004326416.tif 000009
【図８】
2004326416.tif 000010
【図９】
2004326416.tif 000011
【図１０】
2004326416.tif 000012
【図１１】
2004326416.tif 000013
【図１２】
2004326416.tif 000014
【図１３】
2004326416.tif 000015
【図１４】
2004326416.tif 000016
【図１５】
2004326416.tif 000017
【図１６】
2004326416.tif 000018
【図１７】
2004326416.tif 000019
【図１８】
2004326416.tif 000020